(57)【要約】      （修正有）【課題】コストパフォーマンスが良好なＬＥＤ照明装置を提供する。【解決手段】並列および／または直列に電気接続する複数のＬＥＤランプ１と、複数のＬＥＤランプ１と分離されるとともに複数のＬＥＤランプ１の外周部に分離設置され、外部延長線３を介して各複数のＬＥＤランプ１と電気接続するＬＥＤドライバ２とを備えることを特徴とする。これにより、ＬＥＤドライバ２と各ＬＥＤランプ１が単独着脱し、交換による維持コストが節約することができる。また、ＬＥＤドライバ２とＬＥＤランプ１が分離され、高温によるＬＥＤドライバ２へのダメージが避けられ、ＬＥＤドライバ２の寿命を延長させ、ＬＥＤドライバ２の交換率を減少させる。【選択図】図１
0003200064.tif 000002
【実用新案登録請求の範囲】
【請求項１】
複数のＬＥＤランプの間で並列および／または直列に電気接続する複数のＬＥＤランプと、
前記複数のＬＥＤランプと分離されるとともに前記複数のＬＥＤランプの外周部に分離設置され、外部延長線を介して各前記複数のＬＥＤランプと電気接続するＬＥＤドライバと
を備えることを特徴とするＬＥＤ照明装置。
【請求項２】
前記複数のＬＥＤランプを収容し、前記ＬＥＤドライバを着脱可能に設けられるライトプレートをさらに備えることを特徴とする請求項１に記載のＬＥＤ照明装置。
【請求項３】
前記ＬＥＤドライバと前記複数のＬＥＤランプが前記ライトプレートの表側にあることを特徴とする請求項２に記載のＬＥＤ照明装置。
【請求項４】
前記複数のＬＥＤランプが前記ライトプレートの表側にあり、前記ＬＥＤドライバが前記ライトプレートの裏側に設置されることを特徴とする請求項２に記載のＬＥＤ照明装置。
【請求項５】
前記ライトプレートの表側から裏側に貫通する貫通口を備えることを特徴とする請求項４に記載のＬＥＤ照明装置。
【請求項６】
前記ＬＥＤドライバが直流ドライバであることを特徴とする請求項１に記載のＬＥＤ照明装置。
【請求項７】
ＬＥＤランプとライトプレートの間に設けられる光の反射板がさらに含まれることを特徴とする請求項２に記載のＬＥＤ照明装置。
【考案の詳細な説明】
【技術分野】
【０００１】
本発明はＬＥＤ照明装置の一つであり、特にコストパフォーマンスが良好なＬＥＤ照明装置に関する。
【背景技術】
【０００２】
従来、ＬＥＤランプは、内蔵のドライバによって駆動するものであった。ＬＥＤランプの中にあるＬＥＤチップ、または内蔵のドライバが故障した際は、常にＬＥＤランプの全体を交換しなければならない。また、内蔵のドライバは悪い降温性を持つランプの内部に設置されており、ＬＥＤチップから高熱が放出されることによって、内蔵のドライバは壊れやすく、交換頻度も上がり、ＬＥＤランプの維持費がかかる。それ故、ＬＥＤ照明装置を低コストで提供する必要がある。
【考案の概要】
【０００３】
本考案はコストパフォーマンスが良好なＬＥＤ照明装置を提供することを目的とする。
【０００４】
本考案は、従来の課題を解決するための手段として、ＬＥＤランプの間で並列および／または直列に電気接続をする複数のＬＥＤランプと、前記複数のＬＥＤランプとの間隔をあけるとともに前記複数のＬＥＤランプの外周部に設置され、外部延長線を介して各前記複数のＬＥＤランプと電気接続するＬＥＤドライバとを備えることを特徴とするＬＥＤ照明装置を提供する。
【０００５】
本考案の一実施例は、前記複数のＬＥＤランプを収容し、前記ＬＥＤドライバを着脱可能に設けられるライトプレートを備えるＬＥＤ照明装置を提供する。
【０００６】
本考案の一実施例は、前記複数のＬＥＤランプが前記ライトプレートの表側にあり、前記ＬＥＤドライバが前記ライトプレートの裏側に設置されるＬＥＤ照明装置を提供する。
【０００７】
本考案の一実施例は、前記ＬＥＤドライバと前記複数のＬＥＤランプが前記ライトプレートの表側にあるＬＥＤ照明装置を提供する。
【０００８】
本考案の一実施例は、前記ライトプレートの表側と裏側を貫通する貫通口を備えるＬＥＤ照明装置を提供する。
【０００９】
本考案の一実施例は、前記ＬＥＤドライバが直流ドライバであるＬＥＤ照明装置を提供する。
【００１０】
本考案の一実施例は、さらにＬＥＤランプとライトプレートの間に設けられる光の反射板を含むＬＥＤ照明装置を提供する。
【００１１】
本考案のＬＥＤ照明装置で採用される技術の方法であれば、ＬＥＤドライバと各ＬＥＤランプが単独で着脱することができ、ＬＥＤランプ全体を一緒に交換する必要がないため、交換による維持コストが節約できる。そして、ＬＥＤドライバと高熱を放出するＬＥＤランプを分離することで、高温によるＬＥＤドライバへのダメージを避けることができる。
【００１２】
また、本考案のＬＥＤ照明装置は一つのＬＥＤドライバによって複数のＬＥＤランプを駆動するため、ＬＥＤランプと同じ数量のドライバを設置する必要がない。よって、ドライバの製造の費用が節約できる。
【００１３】
以下、実施例と図面を以って本考案で採用される具体の実施の形態についてより詳しく説明する。
【図面の簡単な説明】
【００１４】
【図１】本考案における、第一実施例のＬＥＤ照明装置を示す図である。
【図２】本考案における、第二実施例のＬＥＤ照明装置を示す図である。
【図３】本考案における、第三実施例のＬＥＤ照明装置を示す図である。
【図４】本考案における、第一実施例のＬＥＤ照明装置の側面を示す図である。
【図５】本考案における、第二実施例のＬＥＤ照明装置の側面を示す図である。
【考案を実施するための形態】
【００１５】
以下、図１から図５を以って、本考案の実施の形態を説明する。この説明は本考案の実施例の一つに過ぎず、これに限定されてはいない。
【００１６】
図１が示すように、本考案の実施例のＬＥＤ照明装置１００において、複数のＬＥＤランプの間で並列および／または直列電気接続をする複数のＬＥＤランプ１と複数のＬＥＤランプ１と分離するとともに複数のＬＥＤランプ１の外周部に分離設置され、外部延長線を介して各複数のＬＥＤランプ１と電気接続するＬＥＤドライバ２を備える。
【００１７】
各ＬＥＤランプ１の中に、照明の光源として、複数のＬＥＤチップ１１を有し、ＬＥＤドライバ２により駆動される。直流ドライバ２へ直流入力或は交流入力をすることができ、ドライバ２は直流ドライバであって、外部延長線３で一定量の直流出力をするＬＥＤランプである。
【００１８】
図１が示すように、本考案の第一実施例のＬＥＤ照明装置１００において、四つのＬＥＤランプ１が、並列に電気接続する。図２が示すように、本考案の第二実施例において、ＬＥＤ照明装置１００ａにおいては、四つのＬＥＤランプ１が、直列に電気接続をする。図３が示すように、本考案の第三実施例において、ＬＥＤ照明装置１００ｂは四つの並列するＬＥＤランプ１を有し、それぞれ二つのＬＥＤランプ１は一つのランプセットとして、二つのランプセットが並列に電気接続し、ランプセットの中の二つのＬＥＤランプ１が直列に電気接続する。
【００１９】
図４が示すように、本考案の第一実施例のＬＥＤ照明装置１００において、さらに、天井あるいは壁に固定されるライトプレート４を備える。ライトプレート４には複数のＬＥＤランプ１を収容し、ＬＥＤドライバ２が着脱可能に設けられる。本実施例において、ＬＥＤドライバ２と複数のＬＥＤランプ１がライトプレート４の表側にある。その中、ＬＥＤドライバ２とＬＥＤランプ１が光の反射板５を挟んで分離していることで、ＬＥＤランプ１からの高熱によるＬＥＤドライバ２への影響を減少させることによって、ＬＥＤドライバ２の使用寿命が延長できる。
【００２０】
図５が示すように、本考案の第二実施例のＬＥＤ照明装置１００ａにおいて、複数のＬＥＤランプ１がライトプレート４の表側にあり、ＬＥＤドライバ２がライトプレート４の裏側に設置され、ＬＥＤドライバ２とＬＥＤランプ１が分離する。また、ＬＥＤドライバ２はライトプレート４による遮断により、ＬＥＤランプ１の高熱をさらに減少でき、ＬＥＤドライバ２の使用寿命が延長できる
【００２１】
図５が示すように、本考案の第二実施例のＬＥＤ照明装置１００ａにおいて、ライトプレート４の表側から裏側に貫通する貫通口４１を備える。裏側に設置するＬＥＤドライバ２が貫通口４１を介して表側から取り出せることで、ＬＥＤドライバ２を外す際の利便性が上がる。
【００２２】
図４と図５が示すように、本考案の実施例のＬＥＤ照明装置１００、１００ａにおいて、ＬＥＤランプ１とライトプレート４の間に設けられる光の反射板５がさらに含まれる。光の反射板５はＬＥＤランプ１からの光を反射して、光の照射方向を制限することで、照明の効率を上げる。
【００２３】
上述の構造によって、本考案のＬＥＤ照明装置のＬＥＤドライバ２とＬＥＤランプ１は単独に着脱でき、交換による維持コストが節約できる。さらに一つのＬＥＤドライバ２によって複数のＬＥＤランプ１を駆動する。ＬＥＤランプ１と同じ数のドライバを製造する必要がないため、ドライバの製造コストを減少させることができる。また、ＬＥＤドライバ２と高熱を放出するＬＥＤランプ１が分離されることで、高温によるＬＥＤドライバ２へのダメージを避ける。これにより、ドライバ２の寿命を延長させ、本考案のＬＥＤ照明装置の維持コストをさらに節約することができる。
【００２４】
当該分野の技術を熟知するものが理解できるように、本考案の実施形態を前述の通り開示したが、これらは決して本考案を限定するものではない。本考案の主旨と領域を逸脱しない範囲内で各種の変更や修正を加えることができる。従って、本考案の特許請求の範囲は、このような変更や修正を含めて広く解釈されるべきである。
【符号の説明】
【００２５】
１００  ＬＥＤ照明装置
１００ａ  ＬＥＤ照明装置
１００ｂ  ＬＥＤ照明装置
１  ＬＥＤランプ
１１  ＬＥＤチップ
２  ＬＥＤドライバ
３  外部延長線
４  ライトプレート
４１  貫通口
５  光の反射板
【図１】
0003200064.tif 000003
【図２】
0003200064.tif 000004
【図３】
0003200064.tif 000005
【図４】
0003200064.tif 000006
【図５】
0003200064.tif 000007